(57)【特許請求の範囲】
【請求項１】
容器の口部に固定されるベースと、この基準位置からの押し込み及び当該基準位置への復帰が可能な押圧ヘッドと、押圧ヘッドの側壁に一体に繋がり当該押圧ヘッドの押し込みにより容器の内容物を噴出させるノズルと、このノズルの先端を封止するカバーとを有し、
前記カバーは、ベースの側面に沿ってその周方向に伸び当該ベースに合さる保持部と、この保持部に繋がり、押圧ヘッドの押し込み及び復帰に追従するノズルの軌跡に沿ってその両側を伸びる２つのアーム部と、これらアーム部の先端で保持され、押圧ヘッドを押し込むときにノズルの先端から離間し、押圧ヘッドが基準位置に復帰したときノズルの先端を封止する遮蔽部とからなることを特徴とする、液体噴出器。
【請求項２】
前記アーム部の内面を、前記遮蔽部に向かって内側に傾斜するテーパ面とした、請求項１に記載の、液体噴出器。
【請求項３】
前記保持部が、ベースの側面に沿って旋回可能に保持されるものである、請求項１又は２に記載の、液体噴出器。
【発明の詳細な説明】
【技術分野】
【０００１】
本発明は、例えば、使用者が押圧ヘッドを操作することにより、シャンプーや液体石鹸等の容器内に収納した内容物を押圧ヘッドに繋がるノズルの先端から適宜噴出させることができる液体噴出器に関するものである。
【背景技術】
【０００２】
押圧ヘッドの押し込み及び復帰の繰り返しによりポンプ動作を生起させて当該押圧ヘッドの押し込みと同時にノズルの先端から内容物を噴出させるにあたっては、その使用後にノズル内側の残留液がその先端から垂れたり、外気に触れて固化するという問題がある。
【０００３】
こうした問題を解決するため、従来の液体噴出器には、例えば、容器の口部に固定されたベースと、このベース上に配置された押圧ヘッドとを有し、この押圧ヘッドに、その全周にわたって取り囲むカバー体を設け、この環状部によりノズルの先端を封止し、使用時に取り外すものがある（例えば、特許文献１参照。）
【特許文献１】特開２００３−１３６００１号公報
【０００４】
また、他の従来技術としては、ノズルの先端を着脱可能に封止する栓部材を有し、この栓部材を押圧ヘッドと一体の連結帯に繋げて使用時に取り外すものがある（例えば、特許文献２参照。）。
【特許文献２】特開２００３−２９２０１８号公報
【発明の開示】
【発明が解決しようとする課題】
【０００５】
しかしながら、こうした従来の液体噴出器は、ノズルの先端での液垂れや固化を防止すべくカバー体や栓部材を取り付けた状態から、実際に押圧ヘッドを操作して内容物を取り出すときには、一度、カバー体や栓部材を取り外さなければならないという煩雑さがある。
【０００６】
本発明の解決しようとする課題は、ノズルの先端での液垂れや固化を防止すべくカバーを取り付けた場合、内容物を取り出すときに、カバーを取り外さなければならないという煩雑さにある。
【課題を解決するための手段】
【０００７】
本発明である、液体噴出器は、容器の口部に固定されるベースと、この基準位置からの押し込み及び当該基準位置への復帰が可能な押圧ヘッドと、押圧ヘッドの側壁に一体に繋がり当該押圧ヘッドの押し込みにより容器の内容物を噴出させるノズルと、このノズルの先端を封止するカバーとを有し、前記カバーは、ベースの側面に沿ってその周方向に伸び当該ベースに合さる保持部と、この保持部に繋がり、押圧ヘッドの押し込み及び復帰に追従するノズルの軌跡に沿ってその両側を伸びる２つのアーム部と、これらアーム部の先端で保持され、押圧ヘッドを押し込むときにノズルの先端から離間し、押圧ヘッドが基準位置に復帰したときノズルの先端を封止する遮蔽部とからなることを特徴とするものである。
【０００８】
本発明は、前記アーム部の内面を、前記遮蔽部に向かって内側に傾斜するテーパ面とすることが好ましい。
【０００９】
本発明において、前記保持部は、ベースの側面に沿って旋回可能に保持されるものであることが好ましい。
【発明の効果】
【００１０】
本発明は、ノズルの先端を封止するカバーが押圧ヘッドの下部にあるベースの側面に沿って周方向に伸びる保持部を有し当該保持部でベースと合さるため、かかる保持部は、押圧ヘッドを押し込むときに干渉しない。また、この保持部は、押圧ヘッドの押し込み及び復帰に追従するノズルの軌跡に沿ってその両側を伸びる２つのアーム部で遮蔽部を保持するため、ノズルはアーム部に干渉することなく内容物を噴出させることができる。また、２つのアーム部の先端で遮蔽部を保持したことにより、当該遮蔽部は、内容物を噴出させるべく押圧ヘッドを押し込むときにノズルの先端から離間し、押圧ヘッドが基準位置に復帰したときノズルの先端を封止する。
【００１１】
従って、本発明によれば、ノズルの先端での液垂れや固化を防止するカバーを取り付けた状態のまま、当該カバーを脱着することなく、押圧ヘッドの押し込み及び復帰を保証し、内容物をノズルの先端から噴出させることができる。しかも、この場合、前記カバーは、脱着操作を問わず動きを必要としないため、耐久性に優れるという効果も奏する。
【発明を実施するための最良の形態】
【００１２】
以下、図面を参照して、本発明の一形態を詳細に説明する。
【００１３】
図１は、本発明に従う液体噴出器を示す正面図であり、図２は、その側面図である。また、図３は、図１に示す液体噴出器を示す一部断面図であり、図４は、図２に示す液体噴出器を示す一部断面図である。更に、図５(a),(b)はそれぞれ、カバー10を取り付けた状態を押圧ヘッド３と共に示す上面図と、カバー10のみを示す下面図である。
【００１４】
図において、符号１は、容器20の口部にねじ止め又は凹凸嵌合等の既存の手段により固定されるベースである。ベース１は、凹凸を有する滑り止め面1aと、環状の平坦面1bとからなる側面を有し、その上部に後述の押圧ヘッド３が着座する座部1cと、押圧ヘッド３をねじ止めするおねじ部1dとが一体に形成されている。
【００１５】
ベース１は、その内側に容器20の内容物を噴出させるためのポンプ２を有する。ポンプ２は、吸引パイプ2aが繋がるシリンダ2b内に、ステム2cが繋がる図示せぬピストンを摺動可能に配置し、このピストンとの相互間に形成したポンプ室で内容物を吸入・圧縮し、ステム2cから圧送する。
【００１６】
符号３は、基部3aを介してステム2cに連結され、ステム2cにストロークに追従してベース１上の図３等に示す基準位置（上死点）からの押し込み及び当該基準位置への復帰が可能な押圧ヘッドである。押圧ヘッド３は、ポンプ２を介して容器20内に連通し、その側壁には、外向きに突出するノズル４が一体に繋がる。このノズル４は、その先端4aにステム2cに通じる開口５を有し、この開口５から、押圧ヘッド３の押し込みにより圧送された容器20の内容物を外界に向けて噴出させる。
【００１７】
符号10は、ノズル４の先端4ａに形成した開口５を封止するカバーであり、符号11は、カバー10をベース１に対して保持するための保持部である。保持部11は、ベース１の側面に沿ってその周方向に伸び当該ベース１に合さる、軸線Ｏの直交断面に対してほぼＣ形の断面形状を有し、図１等に示すようにノズル４側が開放されている。これにより、保持部11はノズル４を中心とした両側から外に拡張させることができるため、ベース１への取り付け及び取り外しが比較的容易になる。
【００１８】
また、ノズル４と対向する背面側には、図４，５に示すように、ベース１の滑り止め面1aの上端部e1に係合する内向き上端部11aと、環状の平坦面1bの下端部e2に係合する内向きリブ11bとが形成されている。このため、カバー10を必要以上に引っ張らないと、ベース１に対して外れることがなく、しかも、カバー10にベース１周りの力を加えたとき、その力が一定以上になると環状の平坦面1bに沿って旋回することを許容する。これにより、押圧ヘッド３のめねじ部3bをベース１のおねじ部1dに螺着させて、押圧ヘッド３を図１，２の二点鎖線に示す位置に固定した状態で出荷しても、使用者は、カバー10と共に押圧ヘッド３を旋回させることにより、当該押圧ヘッド３を図１，２の実線に示す使用状態の位置に移動させることができる。
【００１９】
なお、保持部11は、押圧ヘッド３を旋回させて使用状態の位置に持ち上げたのち、当該押圧ヘッド３の上から取り付けてもよい。また、保持部11は、ベース１に対して完全に固定されるものであってもよい。この場合、例えば、保持部11の内側をベース１の滑り止め面1aの凹凸に合さる形状とすれば、ベース１に対して旋回することなく固定することができる。
【００２０】
符号12は、保持部11に一体に繋がり、押圧ヘッド３の押し込み及び復帰に追従するノズル４の軌跡（図１における「軸線Ｏ」に相当。）に沿ってその両側を伸びる２つのアーム部である。これにより、ノズル４は、アーム部12の相互間に形成された軸線Ｏに沿って伸びる隙間から図２の二点鎖線等に示すように突出する。
【００２１】
また、アーム部12は、ノズル４と向かい合う内面12fがそれぞれ、図１，３に示すように、後述の遮蔽部13に向かって内側に傾斜するテーパ面となる。これにより、押圧ヘッド３に追従して押し下げられたノズル４は、押圧ヘッドが押し下げられた下死点で軸線Ｏに対して多少ずれても、アーム部12の内面12fの相互間で規制を受けるため、カバー10がベース１周りに旋回しない限り、常に同じ位置の上死点に復帰させることができる。但し、かかる構成は、アーム部12の内面12fを軸線Ｏに沿って平行させる等の変更が許容されることを妨げるものではない。
【００２２】
更に、アーム部12は、その側面形状が、図２，４に示すように、保持部11からノズル４の先端4aに向かって傾斜している。これにより、使用は、ノズル４の手を差し入れてノズル先端4aの開口５から内容物を受け取り易くなる。
【００２３】
符号13は、これらアーム部12の先端で一体に保持され、押圧ヘッド３を押し込むときに、図１，２の二点鎖線で示す如く、ノズル４の先端4aから離間し、押圧ヘッド３が上死点に復帰したときに、図１の破線及び図４に示す如く、ノズル先端4aの開口５を封止する遮蔽部である。遮蔽部13は、図４に示すように、ノズル先端4aの開口５を封止する遮蔽板13aと、ノズル先端4aの上部及び側面を覆う周壁13bとを一体に備える。これにより、遮蔽部13は、ノズル先端4aでの液垂れ及び固化を防止するだけでなく、ホコリ等を防止するため、衛生面にも優れる。
【００２４】
上述の如く、本発明に従う液体噴出器は、ノズル先端4aの開口５を封止するカバー10が押圧ヘッド３の下部にあるベース１の側面に沿って周方向に伸びる保持部11を有し当該保持部11でベース１と合さるため、かかる保持部11は、押圧ヘッド３を押し込むときに干渉しない。また、この保持部11は、押圧ヘッド３の押し込み及び復帰に追従するノズル４の軌跡に沿ってその両側を伸びる２つのアーム部12で遮蔽部13を保持するため、ノズル４はアーム部12に干渉することなく内容物を噴出させることができる。また、２つのアーム部12の先端で遮蔽部13を保持したことにより、当該遮蔽部13は、内容物を噴出させるべく押圧ヘッド３を押し込むときにノズル先端４から離間し、押圧ヘッド３が上死点に復帰したときノズル先端4aの開口５を封止する。
【００２５】
従って、本発明によれば、カバー10を取り付けた状態のまま、このカバー10を着脱することなく、押圧ヘッド３の押し込み及び復帰を保証し、内容物をノズル先端4aの開口５から噴出させることができる。しかも、この場合、カバー10は、着脱操作を必要としないため、耐久性に優れるという効果も奏する。
【産業上の利用可能性】
【００２６】
本発明は、シャンプー等を内容物とする比較的大きな容量の容器に限らず、化粧水や乳液等を内容物とする比較的小さな容量の携帯容器にも適用することができる。
【図面の簡単な説明】
【００２７】
【図１】本発明に従う液体噴出器を示す正面図である。
【図２】図１の側面図である。
【図３】図１に示す液体噴出器を示す一部断面図である。
【図４】図２に示す液体噴出器を示す一部断面図である。
【図５】(a),(b)はそれぞれ、本発明にかかるカバーを取り付けた状態を押圧ヘッドと共に示す上面図と、カバーのみを示す下面図である。
【符号の説明】
【００２８】
１    ベース
２    シリンダ式ポンプ
３    押圧ヘッド
４    ノズル
4a    ノズル先端
５    ノズル開口
10    カバー
11    保持部
12    アーム部
12ｆ  アーム部内面
13    遮蔽部
13a   遮蔽板
13b   周壁
【図１】
0004800101.tif 000002
【図２】
0004800101.tif 000003
【図３】
0004800101.tif 000004
【図４】
0004800101.tif 000005
【図５】
0004800101.tif 000006